(57)【特許請求の範囲】
【請求項１】
乗員の背部に位置するシートバックフレームと、乗員の臀部下方に位置するシートクッションフレームと、を有して構成されたシートフレームを骨格として有する車両用シートであって、
前記シートクッションフレームは、車両幅方向において離隔して配置される複数のクッション側サイドフレームにより側部が規定されており、
少なくとも一つの前記クッション側サイドフレームには、上方から下方へと切り欠かれた切欠き部を有する変形部が形成されていて、
前記変形部は前記クッション側サイドフレームの上端から下端まで形成されていることを特徴とする車両用シート。
【請求項２】
前記シートバックフレームの下端部には、該シートバックフレームの前記シートクッションフレームに対する角度を変化させるリクライニング機構が配置されており、
前記変形部は、前記リクライニング機構よりも前方に設けられていることを特徴とする請求項１に記載の車両用シート。
【請求項３】
前記シートバックフレームの下端部と前記クッション側サイドフレームの後端部とは、直接的又は間接的に連結されており、
前記変形部は、前記クッション側サイドフレーム上にある前記シートバックフレームとの連結点よりも前方に設けられていることを特徴とする請求項１又は請求項２に記載の車両用シート。
【請求項４】
前記シートクッションフレームの下方には、前記車両用シートを車体フロアに対して移動させるためのレール装置が備えられ、
該レール装置は、前後方向に延びるように前記車体フロアに固定されるロワレールと、該ロワレールに対してスライドするアッパレールと、を備えて構成されており、
前記シートクッションフレームは、直接的若しくは間接的に前記アッパレールに連結されるものであり、
前記変形部は、前後方向において、前記アッパレールの後端部と前端部との間に形成されていることを特徴とする請求項１乃至請求項３いずれか一項に記載の車両用シート。
【請求項５】
前記切欠き部の上下方向に延びる両側辺からは、外側へ向かって突出する突出縁であるフランジ部が各々形成されていることを特徴とする請求項１乃至請求項４いずれか一項に記載の車両用シート。
【請求項６】
前記変形部は、前記切欠き部と、該切欠き部の下部に形成される屈曲部と、から形成されており、
該屈曲部は、上下方向に延びるとともに外側方向に向かって突出するよう形成された内側視溝状の部分であることを特徴とする請求項１乃至請求項５いずれか一項に記載の車両用シート。
【請求項７】
前記変形部の前記切欠き部と前記屈曲部とは連続して形成されていることを特徴とする請求項６に記載の車両用シート。
【請求項８】
前記変形部の前記切欠き部と前記屈曲部との間には、前記切欠き部の切欠きが延びる方向に対して直交する方向に切り欠かれた第二の切欠き部が形成されていることを特徴とする請求項６に記載の車両用シート。
【発明の詳細な説明】
【技術分野】
【０００１】
本発明は、車両用シートに係り、特に衝突時等の衝撃エネルギーが付加された際、衝撃荷重を低減することができる車両用シートに関する。
【背景技術】
【０００２】
一般に、自動車などの車両に衝突等が起こった際には、車両用シートに大きな荷重がかかることとなる。
【０００３】
一般に、車両用シートには、このような状況への対策が採られている。例えば、一般的には、車両用シートの骨格は、乗員の背部を支持するシートバックフレームと、乗員の臀部を支持するシートクッションフレームとを連結することにより構成されており、これらシートバックフレームやシートクッションフレームに衝突時の荷重を吸収する構造が形成される。
【０００４】
例えば、特許文献１では、後面衝突が起き、シートバックフレームの上部に後ろ向きの荷重が加わった場合、サイドフレーム（特許文献１では「サイドメンバ」と記載されている）が曲がる構成とし、後方移動時に乗員に加わる荷重を緩和する技術が提案されている。
【先行技術文献】
【特許文献】
【０００５】
【特許文献１】特許第４２００５８０号公報
【発明の概要】
【発明が解決しようとする課題】
【０００６】
特許文献１で開示されたシートバックフレームは、後面衝突時等、乗員の後方移動に伴って後方への荷重が加わると、サイドフレームが屈曲し、シートバックフレームによって後方移動の衝撃エネルギーが吸収される。しかし、特許文献１のシートバックフレームは、サイドフレームの変形箇所（屈曲箇所）を限定して変形させることが不可能であるため、サイドフレームの上下方向にわたって何れかの点において屈曲する。その結果、屈曲点を限定することができないため、シートバックフレーム全体に衝撃エネルギーが伝達され、衝撃エネルギーの吸収効率が低下し、安定して衝撃エネルギーを緩和することが難しい。
【０００７】
そこで、本出願人は、シートバックフレームを変形させることにより衝撃エネルギーを吸収する技術に関し、可撓性のくびれ部を下部フレームに形成することにより、後面衝突時等、衝撃エネルギーが加わった際にくびれ部を優先的に屈曲させ、衝撃エネルギーを効率よく吸収する技術を提案している（特願２０１０−２７３８６７）。このように、シートバックフレームの変形箇所を限定することにより、効率よく衝撃エネルギーを吸収することが可能となる。
【０００８】
このように、様々な技術が提供されているが、シートクッションフレームにおいて、当該衝撃を吸収する技術もまた望まれていた。
【０００９】
加えて、後面衝突ではなく、特に前面衝突時において、通常レール装置（シートクッションフレームに連結されて車両用シートを車体フロアに対し相対的にスライド移動させる装置である）に連結されているシートクッションフレームにて衝突による荷重を吸収し、レール装置への影響を小さくするための技術が望まれていた。
【００１０】
本発明の目的は、衝突時、特に前面衝突時の衝撃エネルギーが加わった際、シートが撓み変形することにより衝撃エネルギーを吸収する車両用シートにおいて、衝突時、効率良く衝撃荷重を吸収し、レール装置等の周辺部材への影響を小さくすることを可能とした車両用シートを提供することにある。
【課題を解決するための手段】
【００１１】
前記課題は、本発明の車両用シートによれば、乗員の背部に位置するシートバックフレームと、乗員の臀部下方に位置するシートクッションフレームと、を有して構成されたシートフレームを骨格として有する車両用シートであって、前記シートクッションフレームは、車両幅方向において離隔して配置される複数のクッション側サイドフレームにより側部が規定されており、少なくとも一つの前記クッション側サイドフレームには、上方から下方へと切り欠かれた切欠き部を有する変形部が形成されていて、前記変形部は前記クッション側サイドフレームの上端から下端まで形成されていることにより解決される。
【００１２】
このように、本発明に係る車両用シートにおいては、クッション側サイドフレームに切欠き部を有する変形部を形成した。
【００１３】
当該構成により、シートクッションフレームに大きな衝撃荷重が付加された際には、このクッション側サイドフレームに形成された切欠き部を優先的に潰す（つまり、切欠き部の空隙を狭める）ことができ、よって、この切欠き部により衝撃荷重吸収することができる。
【００１４】
よって、シートクッションに間接的若しくは直接的に連結される周辺部材への影響を緩和することができる。
【００１５】
このとき、請求項２に記載のように、前記シートバックフレームの下端部には、該シートバックフレームの前記シートクッションフレームに対する角度を変化させるリクライニング機構が配置されており、前記変形部は、前記リクライニング機構よりも前方に設けられていると好適である。
【００１６】
更に、このとき、請求項３に記載のように、前記シートバックフレームの下端部と前記クッション側サイドフレームの後端部とは、直接的又は間接的に連結されており、前記変形部は、前記クッション側サイドフレーム上にある前記シートバックフレームとの連結点よりも前方に設けられていると好適である。
【００１７】
このように構成されていると、シートバックフレームから入力される大きな衝撃荷重を効率良く吸収することができる。
【００１８】
つまり、請求項２及び請求項３のような位置に変形部（切欠き部）を形成することにより、シートバックフレームとの連結部分付近に変形部（切欠き部）を形成することとなるため、シートバックフレームから入力される大きな衝撃荷重を直近にて効率良く吸収することができる。
【００１９】
また更にこのとき、請求項４に記載のように、前記シートクッションフレームの下方には、前記車両用シートを車体フロアに対して移動させるためのレール装置が備えられ、該レール装置は、前後方向に延びるように前記車体フロアに固定されるロワレールと、該ロワレールに対してスライドするアッパレールと、を備えて構成されており、前記シートクッションフレームは、直接的若しくは間接的に前記アッパレールに連結されるものであり、前記変形部は、前後方向において、前記アッパレールの後端部と前端部との間に形成されていると好適である。
【００２０】
このように構成されていると、アッパレールの上方部分で大きな衝撃荷重を吸収することができるため、レール装置への衝撃荷重の影響を低減させることができる。
【００２１】
よって、アッパレールとの接続部分の強度を上昇させることなく、衝撃荷重の影響を低減させることができる。
【００２２】
また、さらに良好な構成として、請求項５に記載のように、前記切欠き部の上下方向に延びる両側辺からは、外側へ向かって突出する突出縁であるフランジ部が各々形成されているとよい。
【００２３】
このように構成されていると、切欠き部が潰れた際に、フランジ部同士が接触し、過剰な潰れを抑制するストッパとなる。
【００２４】
よって、切欠き部の潰れ具合をコントロールすることができる。
【００２５】
また、フランジ部同士の面接触となるため、効率的に両者が接触してストッパ機能を果たすことができる。
【００２６】
また、請求項６に記載のように、前記変形部は、前記切欠き部と、該切欠き部の下部に形成される屈曲部と、から形成されており、該屈曲部は、上下方向に延びるとともに外側方向に向かって突出するよう形成された内側視溝状の部分であると好適である。
【００２７】
このように構成されていると、切欠き部に加えて溝状の屈曲部もまた潰れることができ、衝撃荷重の吸収がより効率的になる。
【発明の効果】
【００２８】
請求項１の発明によれば、シートクッションフレームに大きな衝撃荷重が付加された際に、クッション側サイドフレームに形成された切欠き部を優先的に潰して、衝撃荷重吸収することができる。よって、シートクッションに間接的若しくは直接的に連結される周辺部材への影響を緩和することができる。
【００２９】
請求項２及び請求項３の発明によれば、シートバックフレームから入力される大きな衝撃荷重を効率良く吸収することができる。
【００３０】
請求項４の発明によれば、レール装置への衝撃荷重の影響を低減させることができ、アッパレールとの接続部分の強度を上昇させることなく、衝撃荷重の影響を低減させることができる。
【００３１】
請求項５の発明によれば、切欠き部が潰れた際に、過剰な潰れを抑制することができる。
【００３２】
請求項６の発明によれば、衝撃荷重の吸収がより効率的になる。
【図面の簡単な説明】
【００３３】
【図１】本発明の一実施形態に係るシートフレームの概略斜視図である。
【図２】図１のＸ視である。
【図３】本発明の一実施形態に係るサイドフレームを示す要部側面図である。
【図４】本発明の一実施形態に係る切欠き部の機能を示す説明図である。
【図５】本発明の一実施形態に係るフランジ部の機能を示す説明図である。
【図６】本発明の一実施形態に係る切欠き部の位置構成を示す説明図である。
【発明を実施するための形態】
【００３４】
以下、本発明の一実施形態について、図を参照して説明する。なお、以下に説明する部材、配置等は、本発明を限定するものではなく、本発明の趣旨に沿って各種改変することができることはもちろんである。また、本明細書において、乗物とは、自動車・鉄道など車輪を有する地上走行用乗物、地上以外を移動する航空機や船舶など、シートを装着できる移動用のものをいうものとする。また通常の着座荷重とは、着座するときに生じる着座衝撃、乗物の急発進によって生じる加速時の荷重などを含むものである。また、前面衝突時の衝撃エネルギーとは、前面衝突時に生じる大きな荷重によるエネルギーであって、前方側からの乗物による大きな追突、走行時における大きな衝突等に伴うものであり、通常の着座時に生じる荷重と同様な荷重領域の荷重によるエネルギーは含まないものである。
【００３５】
また、左右方向とは、車両前方を向いた状態での左右方向を意味し、後述するシートバックフレーム１及びシートクッションフレーム２の幅方向と一致する方向である。また、前後方向とは、乗員が着座した状態での前後方向を意味するものである。
【００３６】
図１乃至図６は本発明の一実施形態に係るもので、図１はシートフレームの概略斜視図、図２は図１のＸ視、図３はサイドフレームを示す要部側面図、図４は切欠き部の機能を示す説明図、図５はフランジ部の機能を示す説明図、図６は切欠き部の位置構成を示す説明図である。
【００３７】
＜＜車両用シートＳの基礎構成＞＞
図１乃至図３を参照して、実施形態に係る車両用シートＳについて説明する。
【００３８】
車両用シートＳは、図１で示すように、シートフレームＦを骨格と有するシートであり、使用時には、このシートフレームＦにクッションパッドを配置するとともにその表面を表皮材で被覆した状態となるものである。
【００３９】
なお、図示は省略しているが、完成品には公知のヘッドレストが備えられており、このヘッドレストは、例えば、頭部の芯材（不図示）にクッションパッド及び表皮材が装着されて形成されている。また、下方からはシートバックフレーム１と連結するためのヘッドレストピラー（不図示）が、突出している。なお、符号Ｈは、ヘッドレストピラーを支持するピラー支持部である。
【００４０】
車両用シートＳのシートフレームＦは、図１で示すように、シートバックフレーム１、シートクッションフレーム２から構成されている。
【００４１】
シートバックフレーム１は、乗員の背部を支持するものであり、クッションパッドと表皮材を装着されて車両用シートＳのシートバックを構成する。
【００４２】
また、シートクッションフレーム２は、乗員の臀部を下方から支持するものであり、同様に、クッションパッドと表皮材を装着されて車両用シートＳの着座部を構成する。
【００４３】
そして、シートバックフレーム１の下端とシートクッションフレーム２の後端とは連結部材３，３を介して連結されており、リクライニング機構１１により、シートクッションフレーム２に対するシートバックフレーム１の角度は調整可能となるように構成されている。
【００４４】
≪シートバックフレーム≫
図１乃至図３に示すように、シートバックフレーム１は、車幅方向に離隔して配置されたシートバック側サイドフレーム１ａ，１ａと、これらの上端を架橋するように配置された略コ字形状の上部フレーム１ｂと、で構成された枠状（下方に開口のある枠状）の部材である。
【００４５】
上部フレーム１ｂは、両自由端部が各々シートバック側サイドフレーム１ａ，１ａ上端部に連結された上方に凸の略コ字型パイプであり、その上方辺にはピラー支持部Ｈが溶接されている。
【００４６】
また、シートバック側サイドフレーム１ａ，１ａの下端部は各々、シートクッションフレーム２の後端側に、リクライニング機構１１及び連結部材３，３を介して連結されている。
【００４７】
≪シートクッションフレーム≫
図１乃至図３に示すように、シートクッションフレーム２を構成する各クッション側サイドフレーム２ａは、前後方向に延出した部材であり、後端部にてシートバックフレーム１と連結している。
【００４８】
また、左右方向一端側（左側）のクッション側サイドフレーム２ａと、左右方向他端側（右側）のクッション側サイドフレーム２ａとは、互いに平行な状態で左右方向に離間している。クッション側サイドフレーム２ａ，２ａ同士は、後端側で後側連結パイプ２ｂを介して、前端上方側で前側上部連結パイプ２ｃを介して、それぞれ連結している。
【００４９】
この後側連結パイプ２ｂは、車両用シートＳの幅方向一端から他端に亘って伸びたパイプ部材である。
【００５０】
また、前側連結パイプ２ｃは、略コ字形状に屈曲形成されたパイプ部材であり、両自由端は、クッション側サイドフレーム２ａ，２ａの前端部に連結されている。つまり、略コ字形状の前側上部連結パイプ２ｃは、前側に凸となる状態で、その両自由端がクッション側サイドフレーム２ａ，２ａの前端部に連結されている。
【００５１】
また、クッション側サイドフレーム２ａ，２ａの前端下方側には角筒状の前側下部連結バー２ｄが架橋されている。
【００５２】
このように、これらクッション側サイドフレーム２ａ，２ａ、後側連結パイプ２ｂ、前側上部連結パイプ２ｃ、後側下部連結バー２ｄとで、矩形枠状のシートクッションフレーム２が形成される。
【００５３】
また、クッション側サイドフレーム２ａ，２ａの下方には、レール連結部材５，５が配設されている。
【００５４】
一方のクッション側サイドフレーム２ａには、その下方にレール連結部材５が直接溶接されている。
【００５５】
他方のクッション側サイドフレーム２ａ側の構成は、本発明の主要構成であるため、レール連結部材５との連結構成も併せて次述する。
【００５６】
なお、図示は省略するが、シートクッションフレーム２の下方には、公知のレール装置が備えられている。このレール装置は、公知の構成と同様、アッパレールとロワレールとの組合体二組により構成されており、各々のアッパレールとロワレールとの組合体は、両クッション側サイドフレーム２ａ，２ａの下方に各々配置されている。
【００５７】
そして、双方のロワレールは、車体フロアに固定され、双方のアッパレールは、直接的若しくは間接的にクッション側サイドフレーム２ａ，２ａに各々連結されている。
【００５８】
本例においては、上述したとおり、一方のクッション側サイドフレーム２ａには、その下方にレール連結部材５が直接溶接され、このレール連結部材５にアッパレールが取付けられる。
【００５９】
以下、他方のクッション側サイドフレーム側について説明する。
【００６０】
他方のクッション側サイドフレーム２ａには、変形部２１が形成されている。
【００６１】
以下、この変形部２１が形成されている側のクッション側サイドフレーム２ａ側の構成について説明する。
【００６２】
クッション側サイドフレーム２ａの内側においては、下方フレーム４が、後側連結パイプ２ｂ及び前側下部連結バー２ｄを架橋するように配置されている。
【００６３】
この下方フレーム４は、後端側は、後側連結パイプ２ｂを貫通させた状態で、この後側連結パイプ２ｂに固定されており、前端側は、前側下部連結バー２ｄを嵌合させた状態で当該嵌合部が溶接固定されている。
【００６４】
そして、この下方フレーム４の下端部には、レール連結部材５の上端部が溶接固定されている。
【００６５】
レール連結部材５は、無底筐体構造を取り、その上方に位置する天面側に下方フレーム４の下端側が取付けられる。
【００６６】
そして、長手方向の両側面（前後方向に延びる側面）は、その中央側が上方に向けて略円弧状に切欠かれており、よって、前後両端部には、下方へ突出する突起部が形成される。
【００６７】
これら前後端部に形成される下方への両突起が、アッパレール取付部５１，５１となる。
【００６８】
つまり、レール連結部材５において、前後端から下方に突出する両突起がアッパレール取付部５１，５１である。
【００６９】
このように、本例では、他方のクッション側サイドフレーム２ａ側においては、下方フレーム４の下方にレール連結部材５が直接溶接され、このレール連結部材５にアッパレールが取付けられる。
【００７０】
次いで、変形部２１について説明する。変形部２１は、クッション側サイドフレーム２ａの上端辺の略中央部に形成された機能部である。
【００７１】
図２及び図３に示すように、この変形部２１は、切欠き部２１Ａと、屈曲部２１Ｂと、を有して構成されている。
【００７２】
切欠き部２１Ａは、クッション側サイドフレーム２ａの上端辺の略中央部から、下方に向かって切り欠かれた切欠き部である。
【００７３】
そして、切欠き部２１Ａの上下方向に延びる両側辺からは外側へ向けて突出する略矩形状のフランジ部２１ａ，２１ａが形成されている。
【００７４】
また、切欠き部２１Ａの下方には、外方向へ向けてドーム状に凸とすることで、内側から見ると上下方向に延びる溝となるよう形成された屈曲部２１Ｂが配設されている。
【００７５】
この屈曲部２１Ｂの幅（前後方向の距離）は、切欠き部２１Ａの幅（前後方向の距離）とほぼ同一となるように構成されているとともに、屈曲部２１Ｂは切欠き部２１Ａと上下方向にて連続する位置に形成されている。
【００７６】
これは、後述するが、切欠き部２１Ａに付加される変形力が潤滑に屈曲部２１Ｂへと付加されることを目的としたものであり、これにより、衝撃力が加わった際、変形部２１が効率良く変形して衝撃力を吸収することができる。
【００７７】
次いで、図４及び図５により、変形部２１の機能により説明する。
【００７８】
図４（ａ）に示すように、通常状態では、変形部２１は変形しておらず、よって、切欠き部２１Ａもまた、前後方向に所定の間隙を有した切欠き部分として存在する。
【００７９】
しかし、図４（ｂ）に示すように、白抜き矢印のような衝撃荷重が付加された場合、切欠き部２１Ａが潰れる（幅が縮まる）とともに屈曲部２１Ｂが変形する。
【００８０】
このような変形により、衝撃荷重を効率良く吸収することができる。
【００８１】
このようにして、衝撃荷重を吸収することで、レール連結部材５への衝撃力の伝達を低減することができるため、レール連結部材５自体をより強固なものにすることなく、レール装置への影響を少なくすることができる。
【００８２】
また、前述したように、切欠き部２１Ａには、フランジ部２１ａ，２１ａが形成されている。
【００８３】
このため、衝撃荷重が加わり切欠き部２１Ａが潰れた場合、これらフランジ部２１ａ，２１ａが接触することとなる（図５参照）。
【００８４】
つまり、フランジ部２１ａ，２１ａが接触することにより、変形ストッパとしての機能を果たし、よって、変形量を規制することが可能となる。
【００８５】
また、フランジ部２１ａ，２１ａの接触は面接触となるため、当接しやすくなり、よってより効率良く変形量を規制することが可能となる。
【００８６】
次いで、図６により、変形部２１の形成箇所について説明する。
【００８７】
図６に示すように、変形部２１は、リクライニング機構１１よりも前方に形成されることが望ましい。
【００８８】
また、更に望ましくは、クッション側サイドフレーム２ａ上においてシートバックフレーム１との連結部となる連結部材３の連結点３ａよりも前方にあることが望ましい。更に、これの前方であって近接する箇所であると望ましい。これにより、シートバックフレーム１から伝達される衝撃力をより効率的に吸収することができる。
【００８９】
また、変形部２１はレール連結部材５が連結されるアッパレール（図６の一点鎖線にて簡略図示）の前後端間に形成されていると望ましく、更に、望ましくは、アッパレール取付部５１，５１間に形成されているとよい。
【００９０】
これにより、レール連結部材５及びこれに連結されるアッパレール（図６の一点鎖線にて簡略図示）への衝撃力付与が緩和される。
【００９１】
なお、上記各実施形態では、具体例としての説明を行ったものであるが、本発明はこれに限定されることはなく、本発明の趣旨を逸脱しない範囲において、各部材の構成配置等は変更することが可能である。
【００９２】
つまり、クッション側サイドフレーム２ａにおいて、変形部２１を形成し、この変形部２１を変形させることにより衝撃荷重を吸収する構成を有するものであれば、例えば、連結部材３をシートバック側サイドフレーム１ａと一体形成する等の変更は可能である。
【符号の説明】
【００９３】
Ｓ  車両用シート
Ｆ  シートフレーム
１  シートバックフレーム
１ａ  シートバック側サイドフレーム
１ｂ  上部フレーム
Ｈ  ピラー支持部
２  シートクッションフレーム
２ａ  クッション側サイドフレーム
２１  変形部
２１Ａ  切欠き部
２１ａ  フランジ部
２１Ｂ  屈曲部
２ｂ  後側連結パイプ
２ｃ  前側上部連結パイプ
２ｄ  前側下部連結バー
３  連結部材
３ａ  連結点
４  下方フレーム
５  レール連結部材
５１  アッパレール取付部
１１  リクライニング機構
【図１】
0006558042.tif 000002
【図２】
0006558042.tif 000003
【図３】
0006558042.tif 000004
【図４】
0006558042.tif 000005
【図５】
0006558042.tif 000006
【図６】
0006558042.tif 000007